(57)【要約】【課題】木材微粒子を効率良くリサイクルすることができる木材微粒子リサイクルシステムを提供する。【解決手段】土砂を供給するための土砂供給機械３００と、破砕された木材チップを受け入れながら所定粒度以下の木材微粒子を選別し、この選別した木材微粒子を連続的に供給可能な木材微粒子供給機械としての選別機械２００と、この選別機械２００により選別された木材微粒子と上記土砂供給機械３００によって供給された土砂とを混合処理し、リサイクル土として排出する混合機械４００とを配置して木材微粒子リサイクルシステムを構成する。【選択図】  図１
2005139638.tif 000002
【特許請求の範囲】
【請求項１】
土砂を供給するための土砂供給機械と、
破砕された木材チップを受け入れながら所定粒度以下の木材微粒子を選別し、この選別した木材微粒子を連続的に供給可能な木材微粒子供給機械と、
この木材微粒子供給機械により供給された木材微粒子と前記土砂供給機械によって供給された土砂とを混合処理し、リサイクル土を生成する混合機械と
を配置してなることを特徴とする木材微粒子リサイクルシステム。
【請求項２】
土砂を受け入れるホッパ，及びこのホッパ内の土砂を切り出し搬送するコンベアを備えた土砂供給機械と、
破砕された木材チップを受け入れ、粒度に応じて選別する選別装置，及びこの選別装置により選別された所定粒度以下の木材微粒子を搬送するコンベアを備えた選別機械と，この選別機械からの木材微粒子を受け入れて貯留する貯留タンク，貯留タンク内の木材微粒子をほぼ定量ずつ切り出すフィーダ，及びこのフィーダから切り出された木材微粒子を搬送するコンベアを備えた木材微粒子定量切出装置とからなり木材微粒子を連続的に供給可能な木材微粒子供給機械と、
この木材微粒子供給機械により供給された木材微粒子と前記土砂供給機械によって供給された土砂とを混合処理し、リサイクル土を生成する混合機械と
を配置してなることを特徴とする木材微粒子リサイクルシステム。
【請求項３】
受け入れた木材原料を破砕する破砕部と、この破砕部により破砕された木材チップを搬送するコンベアとを備えた木材破砕機を、さらに前記木材微粒子供給機械の木材チップ受入部に臨むように配置してなることを特徴とする請求項１又は２に記載の木材微粒子リサイクルシステム。
【請求項４】
前記土砂供給機械、木材微粒子供給機械、混合機械、及び木材破砕機は、走行手段を備えていることを特徴とする請求項１乃至３のいずれかに記載の木材微粒子リサイクルシステム。
【発明の詳細な説明】
【技術分野】
【０００１】
本発明は、木材微粒子を土砂等と混合し、例えば堆肥や植栽土等のリサイクル土を生成する木材微粒子リサイクルシステムに関するものである。
【背景技術】
【０００２】
近年、リサイクル法の施工に伴い、例えば道路工事・基礎工事等で発生する建設発生土等の再利用が試みられている。こうした背景の下、例えば特許文献１等に記載されているような、ホッパに受け入れた土砂を搬送コンベアで混合装置に供給し、この混合装置によって、土砂を土質改良材ホッパから供給された土質改良材と混合し改質処理する土質改良機の需要が高まっている。
【０００３】
【特許文献１】特開２０００−４５２６３号公報
【発明の開示】
【発明が解決しようとする課題】
【０００４】
一方、同じ廃棄物再利用の一環として、木材の枝払いや森林における間伐作業の際に発生する枝条や間伐材、或いは建造物の解体工事で発生する廃木材等（以下、総称して適宜廃木材と記載する）を、木材破砕機等を用いて細かく破砕することにより、再利用可能な木材チップを生産することが行われている。しかし、廃木材を破砕するときに生じる木材微粒子は、一般にほとんど利用されることなく放置されているのが現状である。
【０００５】
ここで、最近では、発酵腐熟させた木材チップ等を土砂と混合し、園芸用の培養土として再利用するといったことも試みられている。このことから、前述した土質改良機等を用いて石灰等の土質改良材の代わりに木材微粒子を土砂と混合し、例えば堆肥や植栽土等のリサイクル土を生成することにより、上記した木材微粒子をリサイクルすることが考えられる。しかしながら、堆肥や植栽土等を生成するためには、土質改良時に土砂に混合しなければならない石灰等の土質改良材の量よりも、大量の木材微粒子を土砂に混合しなければならない。そのため、前述したような土質改良機を用いて木材微粒子をリサイクルする場合、土質改良材ホッパに頻繁に木材微粒子を補給しなければならず、十分な作業効率が確保できない恐れがあった。
【０００６】
本発明は、上記の事柄に鑑みてなされたものであり、その目的は、木材微粒子を効率良くリサイクルすることができる木材微粒子リサイクルシステムを提供することにある。
【課題を解決するための手段】
【０００７】
上記目的を達成するために、第１の発明は、土砂を供給するための土砂供給機械と、破砕された木材チップを受け入れながら所定粒度以下の木材微粒子を選別し、この選別した木材微粒子を連続的に供給可能な木材微粒子供給機械と、この木材微粒子供給機械により供給された木材微粒子と前記土砂供給機械によって供給された土砂とを混合処理し、リサイクル土を生成する混合機械とを配置してなることを特徴とする。
【０００８】
また、第２の発明は、土砂を受け入れるホッパ，及びこのホッパ内の土砂を切り出し搬送するコンベアを備えた土砂供給機械と、破砕された木材チップを受け入れ、粒度に応じて選別する選別装置，及びこの選別装置により選別された所定粒度以下の木材微粒子を搬送するコンベアを備えた選別機械と，この選別機械からの木材微粒子を受け入れて貯留する貯留タンク，貯留タンク内の木材微粒子をほぼ定量ずつ切り出すフィーダ，及びこのフィーダから切り出された木材微粒子を搬送するコンベアを備えた木材微粒子定量切出装置とからなり木材微粒子を連続的に供給可能な木材微粒子供給機械と、この木材微粒子供給機械により供給された木材微粒子と前記土砂供給機械によって供給された土砂とを混合処理し、リサイクル土を生成する混合機械とを配置してなることを特徴とする。
【０００９】
また、第３の発明は、上記第１又は第２の発明において、受け入れた木材原料を破砕する破砕部と、この破砕部により破砕された木材チップを搬送するコンベアとを備えた木材破砕機を、さらに前記木材微粒子供給機械の木材チップ受入部に臨むように配置してなることを特徴とする。
【００１０】
また、第４の発明は、上記第１乃至第３の発明のいずれかにおいて、前記土砂供給機械、木材微粒子供給機械、混合機械、及び木材破砕機は、走行手段を備えていることを特徴とする。
【発明の効果】
【００１１】
本発明によれば、木材及び土砂を連続的にシステムに供給することができ、木材微粒子の補給のためにシステムの稼動を停止させる必要がない。したがって、木材微粒子を、例えば堆肥や植栽土等として効率良くリサイクルすることができ、作業効率向上による経済効果も大きい。
【発明を実施するための最良の形態】
【００１２】
以下、本発明の木材微粒子リサイクルシステムの一実施の形態を図面を用いて説明する。
図１は、本発明の木材微粒子リサイクルシステムの一実施の形態の全体配置を表す平面図である。
図１に示すように、本システムは、木材破砕機１００と、この木材破砕機１００より受け入れた木材チップから所定粒度以下の木材微粒子を選別する選別機械２００と、受け入れた土砂を搬送し供給するための土砂供給機械３００と、選別機械２００により選別された木材微粒子を土砂供給機械３００によって供給された土砂とともに混合処理し、リサイクル土として排出する混合機械４００と、上記木材破砕機１００に対し、集積場所ａの木材（廃木材）をすくい上げて供給する投入機械５００と、上記土砂供給機械３００に対し、集積場所ｂの土砂を掘削して供給する投入機械６００とを配置して構成されている。
【００１３】
まず、投入機械５００，６００の構成について説明すると、本実施の形態においては、上記投入機械５００，６００として、通常の建設現場でごく一般的に用いられる自走式の油圧ショベルを用いている。投入機械５００（又は投入機械６００、以下の対応関係も同様）は、走行手段としての履帯５０１（又は６０１）を備えた走行体５０２（又は６０２）と、この走行体５０２（又は６０２）の上部に旋回可能に設けた旋回体５０３（又は６０３）と、この旋回体５０３（又は６０３）に回動自在に接続された多関節型の作業装置５０４（又は６０４）とを備えている。作業装置５０４（又は６０４）は、旋回体５０３（又は６０３）に基端部が枢支されたブーム（図示せず）と、このブームに回動自在に接続されたアーム５０５（又は６０５）と、このアーム５０５（又は６０５）に回動自在に接続されたバケット５０６（又は６０６）とを備えている。
【００１４】
そして、このような構成により、投入機械５００（又は６００）は、集積場所ａ（又はｂ）の木材（又は土砂）を、バケット５０６（又は６０６）内にすくい込んで、木材破砕機１００（又は土砂供給機械３００）に供給するようになっている。なお、本例では、作業装置５０４（又は６０４）に関し、作業具（アタッチメント）としてバケット５０６（又は６０６）を備えた場合を説明したが、これは作業に応じて適宜変更しても良い。例えば、木材等として間伐材を集積してある場合等は、木材を把持するグラップル等が適用可能である。
【００１５】
図２は、木材破砕機１００の全体構成を表す側面図である。
この図２を用いて木材破砕機１００の構成について説明すると、この木材破砕機１００は、走行体１１０と、投入機械５００から投入された木材を受け入れて搬送する供給部１２０と、この供給部１２０から供給された破砕部１３０と、この破砕部１３０で破砕された木材チップを搬送し排出する搬出コンベア１４０と、動力装置１５０とで概略構成されている。
【００１６】
走行体１１０は、トラックフレーム１１１と、このトラックフレーム１１１の両端に設けた従動輪１１２及び駆動輪１１３と、この駆動輪１１３に直結した駆動装置１１４と、従動輪１１２及び駆動輪１１３に掛け回した履帯１１５とで構成されている。トラックフレーム１１１の上部には、略水平に配設された本体フレーム１１６が設けられており、その長手方向一方側（図２中の左側）の上部に受入部１２０を、中央部付近に破砕部１３０を、長手方向他方側（図２中の右側）に動力装置１５０を搭載している。
【００１７】
供給部１２０は、主として、木材を受け入れるホッパ１２１と、このホッパ１２１内に設けた送りコンベア（図示せず）とを備えており、ホッパ１２１で受け入れた木材を送りコンベアによって破砕部１３０に供給するようになっている。
【００１８】
破砕部１３０は、特に図示していないが、外周部に破砕ビットを複数備えたロータと、このロータに対向配置された衝突板とを備えており、ロータが高速回転することにより、破砕ビットによって木材が破砕され、さらにその破砕片を衝突板に衝突させることによりチップ化し、所定粒度以下に破砕されたものが内部に設けたスクリーンの目を通過して排出されるようになっている。
【００１９】
搬出コンベア１４０は、破砕部１３０の下方から動力装置１５０の下側を通過し、下流側に向かって上り傾斜となるように、本体フレーム１１６や動力装置１５０等から吊り下げ支持されており、木材破砕機１００は、この搬出コンベア１４０が、選別機械２００の選別部２２０（後述）に臨むように配置されている。また、この搬出コンベア１４０は、詳細には図示していないが、コンベアフレーム１４１と、このコンベアフレーム１４１の両端に設けた駆動輪及び従動輪と、駆動輪及び従動輪に掛け回したコンベアベルトと、駆動輪に連結した駆動装置とを備えており、駆動装置によって駆動輪を回転させ、従動輪との間でコンベアベルトを循環駆動させるようになっている。
【００２０】
動力装置１５０は、特に図示していないが、この木材破砕機１００の駆動源であるエンジンと、このエンジンにより駆動される少なくとも１つの油圧ポンプと、この油圧ポンプから各駆動装置に供給される圧油を制御する複数のコントロールバルブとを内蔵している。１５１はこの動力装置１５１の一方側の区画に設けた運転席で、この運転席１５１には、各種操作を行う操作レバー１５２や操作盤１５３等が設けられている。
【００２１】
図３は、選別機械２００の全体構成を表す側面図である。
この図３を用いて選別機械２００の構成について説明すると、この選別機械２００は、走行体２１０と、木材破砕機１００からの木材チップを受け入れる受入部であり、受け入れた木材チップを粒度に応じて選別する選別部２２０と、この選別部２２０で選別された所定粒度以下の木材微粒子を搬送し排出する搬出コンベア２３０と、動力装置２４０とで概略構成されている。なお、本実施の形態において、この選別機械２００は、木材微粒子を混合機械４００に供給する木材粒子供給機械としての役割も果たす。
【００２２】
走行体２１０は、トラックフレーム２１１と、このトラックフレーム２１１の両端に設けた従動輪２１２及び駆動輪２１３と、この駆動輪２１３に直結した駆動装置２１４と、従動輪２１２及び駆動輪２１３に掛け回した履帯２１５とで構成されている。トラックフレーム２１１の上部には、略水平に配設された本体フレーム２１６が設けられており、その長手方向一方側（図３中の左側）の上部に選別部２２０を搭載するための取付フレーム２１７を、長手方向他方側（図３中の右側）に動力装置２４０を搭載している。
【００２３】
選別部２２０は、主として、木材を受け入れて粒度選別する選別装置２２１と、この選別装置２２１で選別された所定粒度以下の木材微粒子を搬出コンベア２３０上に導くシュート２２２とを備えている。本実施の形態に用いる選別装置２２１は、いわゆるロールスクリーンと称されるもので、詳細は図示していないが、本体枠体２２３内に、回転軸に複数のローラを設けて構成した回転体を複数列設し、各回転体を回転させることにより、隣接するローラ間の間隙寸法よりも粒径の小さな木材微粒子を下方に通過させ、ローラ間寸法以上の木材チップを図３中の左側に搬送し、ガイド（オーバサイズ排出部）２２４を介して機外に排出するようになっている。
【００２４】
搬出コンベア２３０は、選別部２２０のシュート２２２の下方から動力装置２４０の上側を通過し、下流側に向かって上り傾斜となるように、本体フレーム２１６や動力装置２４０等から支持されている。またこの搬出コンベア２３０は、コンベアフレーム２３１と、このコンベアフレーム２３１の両端に設けた駆動輪２３２及び従動輪２３３と、駆動輪２３２及び従動輪２３３に掛け回したコンベアベルト２３４と、駆動輪２３２に連結した駆動装置（図示せず）とを備えており、駆動装置によって駆動輪２３２を回転させ、従動輪２３３との間でコンベアベルト２３４を循環駆動させるようになっている。
【００２５】
また、この搬出コンベア２３０の下流側部分は、上流側部分に対して上下に回動可能に構成されており、動力装置２４０との間に設けられた油圧シリンダ２３５を伸縮することによって、排出高さを変更可能な構成となっている。但し、この排出高さの調整機構は、必要ない場合には省略しても良い。
【００２６】
動力装置２４０は、特に図示していないが、この選別機械２００の駆動源であるエンジンと、このエンジンにより駆動される少なくとも１つの油圧ポンプと、この油圧ポンプから各駆動装置に供給される圧油を制御する複数のコントロールバルブとを内蔵している。また、特に図示していないが、この動力装置２４０の側方には、操作者が搭乗するための運転席が設けられており、そこには各種操作を行う操作レバーや操作盤等が設けられている。
【００２７】
このような構成により、選別装置２００は、木材破砕機１００で破砕された木材チップを受け入れながら所定粒度以下の木材微粒子を選別し、この選別した木材微粒子を連続的に上記混合機械４００に供給可能となっている。
【００２８】
図４は、土砂供給機械３００の全体構成を表す側面図である。
この図４を用いて土砂供給機械３００の構成について説明すると、この土砂供給機械３００は、走行体３１０と、投入機械６００より投入された土砂を受け入れ異物を除去して後段に供給する供給部３２０と、この供給部３２０から供給された土砂を搬送し排出する搬出コンベア３３０と、動力装置３４０とで概略構成されている。
【００２９】
走行体３１０は、トラックフレーム３１１と、このトラックフレーム３１１の両端に設けた従動輪３１２及び駆動輪３１３と、この駆動輪３１３に直結した駆動装置３１４と、従動輪３１２及び駆動輪３１３に掛け回した履帯３１５とで構成されている。トラックフレーム３１１の上部には、略水平に配設された本体フレーム３１６が設けられており、その長手方向一方側（図４中の左側）の上部に供給部３２０を搭載するための取付フレーム３１７を、長手方向他方側（図４中の右側）に動力装置３４０を搭載している。
【００３０】
供給部３２０は、主として、土砂を受け入れて異物や大塊を除去する篩装置３２１と、この篩装置３２１で異物や大塊を除去された土砂を一旦貯留するホッパ３２２とを備えている。本実施の形態に用いる篩装置３２１は、いわゆる振動篩で、本体枠体３２３の内部に所定の目の大きさの格子３２４を備え、取付フレーム３１７上にばね３２５を介して振動可能に支持されており、加振機（図示せず）によって振動させることで、投入された土砂の中から、格子３２４の目の大きさよりも大きな異物や大塊が除去され、格子３２４の目よりも小さな土砂成分のみが下方へ導かれるようになっている。
【００３１】
ホッパ３２２は、この篩装置３２１と搬出コンベア３３０との間に位置するように取付フレーム３１７に支持されており、上方拡開の概略枠型に形成され、篩装置３２１の下方から落下した所定粒度以下の土砂成分を確実に搬出コンベア３３０上に導く役割を果たす。また、詳細に図示していないが、このホッパ３２２の下流側（図４中の右側）側壁には、所定の開口面積を有する切り出し口が設けられている。なお、３２６は投入土砂を確実に篩装置３２１に導入するために設けたあおりである。
【００３２】
搬出コンベア３３０は、供給部３２０のホッパ３２２の下方から動力装置３４０の上側を通過し、下流側に向かって上り傾斜となるように、本体フレーム３１６や動力装置３４０等から支持されている。またこの搬出コンベア３３０は、コンベアフレーム３３１と、このコンベアフレーム３３１の両端に設けた駆動輪３３２及び従動輪３３３と、駆動輪３３２及び従動輪３３３に掛け回したコンベアベルト３３４と、駆動輪３３２に連結した駆動装置（図示せず）とを備えており、駆動装置によって駆動輪３３２を回転させ、従動輪３３３との間でコンベアベルト３３４を循環駆動させるようになっている。
【００３３】
また、この搬出コンベア３３０の下流側部分は、上流側部分に対して上下に回動可能に構成されており、動力装置３４０との間に設けられた油圧シリンダ３３５を伸縮することによって、排出高さを変更可能な構成となっている。但し、この排出高さの調整機構は、必要ない場合には省略しても良い。
【００３４】
動力装置３４０は、特に図示していないが、この土砂供給機械３００の駆動源であるエンジンと、このエンジンにより駆動される少なくとも１つの油圧ポンプと、この油圧ポンプから各駆動装置に供給される圧油を制御する複数のコントロールバルブとを内蔵している。また、特に図示していないが、この動力装置３４０の側方には、操作者が搭乗するための運転席が設けられており、そこには各種操作を行う操作レバーや操作盤等が設けられている。
【００３５】
図５は、混合機械４００の全体構成を表す側面図である。
この図５を用いて混合機械４００の構成について説明すると、この混合機械４００は、走行体４１０と、選別機械２００及び土砂供給機械３００からそれぞれ受け入れた木材微粒子及び土砂を供給するための供給部４２０と、この供給部４２０から供給された木材微粒子をともに供給された土砂と混合処理する混合装置４３０と、この混合装置４３０で混合処理されて排出されたリサイクル土を搬送し排出する搬出コンベア４４０と、動力装置４５０とで概略構成されている。
【００３６】
走行体４１０は、トラックフレーム４１１と、このトラックフレーム４１１の両端に設けた従動輪４１２及び駆動輪４１３と、この駆動輪４１３に直結した駆動装置４１４と、従動輪４１２及び駆動輪４１３に掛け回した履帯４１５とで構成されている。トラックフレーム４１１の上部には、略水平に配設された本体フレーム４１６が設けられており、その長手方向一方側（図５中の左側）の上部に受入部４２０を支持するための支持架台４１７を、中央部付近に混合装置４３０を、長手方向他方側（図５中の右側）に動力装置４５０を搭載している。
【００３７】
供給部４２０は、主として、木材微粒子及び土砂を受け入れるホッパ４２１と、このホッパ４２１の下部に設けた搬送コンベア４２２とを備えている。ホッパ４２１は、上記支持架台４１７により支持され、上方に向かって拡開した枠体により形成されている。また、ホッパ４２１の下流側（図５中の右側）の側壁には、貯留物（木材微粒子及び土砂）を切り出すだめの切り出し口が、搬送コンベア４２２と対向して形成されている。このホッパ４２１の内部には、回転軸に攪拌棒を複数植設してなるアーチブレイカ（図示せず）が設けられており、このアーチブレイカによって、ホッパ４２１内で貯留物を攪拌しいわゆる架橋現象の発生を抑制するようになっている。４２３はこのアーチブレイカを回転駆動させる駆動装置である。
【００３８】
搬送コンベア４２２は、ホッパ４２１の下部から混合装置４３０の入口上部にかけて上り傾斜となるように、上記支持架台４１７により支持されている。この搬送コンベア４２２は、コンベアフレーム４２４と、このコンベアフレーム４２４の両端に設けた駆動輪（図示せず）及び従動輪４２５と、駆動輪及び従動輪４２５に掛け回したコンベアベルト４２６と、駆動輪に連結した駆動装置（図示せず）とを備えており、駆動装置によって駆動輪を回転させ、従動輪４２５との間でコンベアベルト４２６を循環駆動させるようになっている。
【００３９】
混合装置４３０は、その略箱型の混合装置本体４３１の長手方向一方側（図５中の左側）上部に木材微粒子及び土砂を受け入れる入口４３２を、長手方向他方側（図５中の右側）の下部に出口（図示せず）を備えている。特に図示していないが、混合装置本体４３１の内部には、回転軸の外周部に複数の攪拌翼（パドル）を植設してなる攪拌手段（パドルミキサ）が少なくとも１本設けられている。この攪拌手段は、攪拌翼により木材微粒子を土砂とともに混合しつつ、出口側に移送する機能を有する。４３３はこの混合装置４３０に設けた攪拌手段を回転駆動するための駆動装置である。
【００４０】
搬出コンベア４４０は、混合装置４３０の図示しない出口の下方から動力装置４５０の下側を通過し、下流側に向かって上り傾斜となるように、本体フレーム４１６や動力装置４５０等から吊り下げ支持されている。また、この搬出コンベア４４０は、詳細には図示していないが、コンベアフレーム４４１と、このコンベアフレーム１４１の両端に設けた駆動輪４４２及び従動輪と、駆動輪４２２及び従動輪に掛け回したコンベアベルトと、駆動輪４４２に連結した駆動装置とを備えており、駆動装置によって駆動輪４４２を回転させ、従動輪との間でコンベアベルトを循環駆動させるようになっている。
【００４１】
動力装置４５０は、特に図示していないが、この混合機械４００の駆動源であるエンジンと、このエンジンにより駆動される少なくとも１つの油圧ポンプと、この油圧ポンプから各駆動装置に供給される圧油を制御する複数のコントロールバルブとを内蔵している。また、特に図示していないが、この動力装置４５０の隣接区画には、操作者が搭乗するための運転席が設けられており、そこには各種操作を行う操作レバーや操作盤等が設けられている。
【００４２】
次に、上記構成の本実施の形態の木材微粒子リサイクルシステムの動作及び作用を説明する。
まず、集積場所ａの木材が投入機械５００によって木材破砕機１００のホッパ１２１に投入されると、ホッパ１２１に受け入れられた木材は、破砕部１３０に供給され、この破砕部１３０で所定粒度以下の木材チップに破砕される。こうして破砕された木材は、搬出コンベア１４０によって搬送され、選別機械２００の選別装置２２１に供給される。
【００４３】
選別機械２００の選別装置２２１に供給された木材チップは、この選別装置２２１によって粒度に応じて選別され、所定粒度以下（例えば、５〜６ｍｍ以下）の木材微粒子がシュート２２２を介して落下し、搬出コンベア２３０によって搬送され混合機械４００のホッパ４２１に供給される。選別装置２２１によって選別された所定粒度以上の木材チップ（オーバサイズ分）は、ガイド２２４を介して集積場所ｃ（図１参照）に排出される。
【００４４】
一方、集積場所ｂの土砂が投入機械６００によって土砂供給機械３００の篩装置３２１に投入されると、投入された土砂は、篩装置３２１によって異物や大塊を除去され、格子３２４の目よりも小さな土砂成分のみが選別されてホッパ３２２に一時貯留される。ホッパ３２２内の土砂は、搬出コンベア３３０によって、前述したホッパ３２２の切り出し口を介することで、この切り出し口とコンベアベルト３３４の搬送速度とで定まる量ずつホッパ３２２外に切り出され、そして搬送されて混合機械４００のホッパ４２１に供給される。格子３２４の目よりも大きな異物や大塊は、振動する格子３２４上を下って移動し、集積場所ｄ（図１参照）に排出される。
【００４５】
そして、このようにして選別機械２００及び土砂供給装置３００からそれぞれ混合気界４００のホッパ４２１に木材微粒子及び土砂が供給されると、投入された木材微粒子及び土砂は、ホッパ４２１内でアーチブレイカによって攪拌されて架橋発生を防止されつつ、搬送コンベア４２２によって切り出し口を介してホッパ４２１外に切り出される。その後、搬送コンベア４２１によって混合装置４３０に供給された木材微粒子は、ともに供給された土砂とともに、混合装置４３０内の攪拌手段によって攪拌、混合され、リサイクル土として搬出コンベア４４０上に排出される。このリサイクル土は、搬出コンベア４４０によって搬送されて機外に排出され、最終的に集積場所ｅに集積される。
【００４６】
ここで、近年、廃棄物再利用の一環として、木材の枝払いや森林における間伐作業の際に発生する枝条や間伐材、或いは建造物の解体工事で発生する廃木材等（総称して廃木材と記載する）を、木材破砕機等を用いて細かく破砕することにより、再利用可能な木材チップを生産することが行われている。しかし、廃木材を破砕するときに生じる木材微粒子は、一般にほとんど利用されることなく放置されているのが現状である。
【００４７】
そこで、最近では、発酵腐熟させた木材チップ等を土砂と混合し、園芸用の培養土として再利用するといったことも試みられている。このことから、公知の土質改良機等を用いて土質改良材の代わりに木材微粒子を土砂と混合し、例えば堆肥や植栽土等のリサイクル土を生成することにより、木材微粒子をリサイクルすることが考えられる。しかしながら、堆肥や植栽土等を生成するためには、土質改良時に土砂に混合しなければならない土質改良材の量に対し、大量の材微粒子を土砂に混合しなければならない。そのため、土質改良機を用いて木材微粒子をリサイクルする場合、土質改良材ホッパに頻繁に木材微粒子を補給しなければならず、十分な作業効率が確保できない可能性もある。
【００４８】
それに対し、本実施の形態によれば、先に動作説明したように、集積場所ａ，ｂの木材及び土砂を、絶えず連続的にシステムに供給することができ、木材微粒子の補給のためにシステムの稼動を停止させる必要がない。したがって、木材微粒子を、例えば堆肥や植栽土等として効率良くリサイクルすることができ、作業効率向上による経済効果も大きい。
【００４９】
また、本システムを構成する木材破砕機１００、選別機械２００、土砂供給機械３００、混合機械４００、投入機械５００，６００は、それぞれ自力走行可能な構成であるため、稼動現場における作業の進捗状況やスペース的な事情に柔軟に対応し、システムの設置及び撤去、レイアウト変更も極めて迅速かつ容易に行うことができる。このことによっても、作業効率を向上させることができる。
【００５０】
本発明の木材微粒子リサイクルシステムの他の実施の形態を図６及び図７を用いて説明する。
図６は、本発明の木材微粒子リサイクルシステムの他の実施の形態の全体配置を表す平面図であり、先の各図と同様の部分には同符号を付し説明を省略する。
図６に示すように、本実施の形態のシステムは、木材破砕機１００と、この木材破砕機１００より受け入れた木材チップから所定粒度以下の木材微粒子を選別する選別機械２００と、この選別機械２００からの木材微粒子を受け入れてほぼ定量ずつ供給する木材微粒子定量切出装置７００と、受け入れた土砂を搬送する土砂供給機械３００と、木材微粒子定量切出装置７００により供給された木材微粒子を土砂供給機械３００によって供給された土砂とともに混合処理し、リサイクル土として排出する混合機械４００と、上記木材破砕機１００に対し、集積場所ａの木材をすくい上げて供給する投入機械５００と、上記土砂供給機械３００に対し、集積場所ｂの土砂を掘削して供給する投入機械６００とを配置して構成されている。
【００５１】
つまり、本実施の形態は、先に図１に示したシステムに対し、選別機械２００と混合機械４００との間に木材微粒子定量切出装置７００を追加して構成したもので、本例においては、選別機械２００と上記木材微粒子定量切出装置７００とで、木材微粒子を連続的に供給可能な木材微粒子供給機械を構成している。その他の点については、前述した本発明の木材微粒子リサイクルシステムの一実施の形態と同様である。
【００５２】
図７は、木材微粒子定量切出装置７００の全体構成を表す側面図である。なお、この図７中の括弧内の８００番台の符号は、後述する肥料供給機械８００の説明用の符号である。
この図７を用いて木材微粒子定量切出装置７００の構成について説明すると、この木材微粒子定量切出装置７００は、走行体７１０と、選別機械２００からの木材微粒子を受け入れてほぼ定量ずつ供給する定量供給部７２０と、この定量供給部７２０から供給された木材微粒子を搬送し排出する搬出コンベア７３０と、動力装置７４０とで概略構成されている。
【００５３】
走行体７１０は、トラックフレーム７１１と、このトラックフレーム７１１の両端に設けた従動輪７１２及び駆動輪７１３と、この駆動輪７１３に直結した駆動装置７１４と、従動輪７１２及び駆動輪７１３に掛け回した履帯７１５とで構成されている。トラックフレーム７１１の上部には、略水平に配設された本体フレーム７１６が設けられており、その長手方向一方側（図７中の左側）の上部に定量供給部７２０を搭載するための取付フレーム７１７を、長手方向他方側（図７中の右側）に動力装置７４０を搭載している。
【００５４】
定量供給部７２０は、主として、選別機械２００からの木材微粒子を受け入れて貯留する貯留タンク７２１と、この貯留タンク７２１内の木材微粒子をほぼ定量ずつ切り出すフィーダ７２２と、貯留タンク７２１内の木材微粒子をフィーダ７２２に導くシュート７２３とを備えている。貯留タンク７２１は、その高さを調整可能なように蛇腹で構成されており、上部は開口している。また、本実施の形態に用いるフィーダ７２２は、いわゆるスクリュフィーダと称されるもので、詳細は図示していないが、その円筒状の本体７２４内に、回転軸に螺旋状のスクリュ（オーガ）を設けて構成した回転体を有しており、この回転体を回転させることにより、スクリュの間に導入された木材微粒子を、本体７２４の出口７２５に向かって移送し排出するようになっている。このスクリュフィーダ７２２による木材微粒子の供給量は、スクリュの回転数によって制御される。
【００５５】
搬出コンベア７３０は、定量供給部７２０のフィーダ７２２の下方から動力装置７４０の上側を通過し、下流側に向かって上り傾斜となるように、本体フレーム７１６や動力装置７４０等から支持されている。またこの搬出コンベア７３０は、コンベアフレーム７３１と、このコンベアフレーム７３１の両端に設けた駆動輪７３２及び従動輪７３３と、駆動輪７３２及び従動輪７３３に掛け回したコンベアベルト７３４と、駆動輪７３２に連結した駆動装置（図示せず）とを備えており、駆動装置によって駆動輪７３２を回転させ、従動輪７３３との間でコンベアベルト７３４を循環駆動させるようになっている。
【００５６】
また、この搬出コンベア７３０の下流側部分は、上流側部分に対して上下に回動可能に構成されており、動力装置７４０との間に設けられた油圧シリンダ７３５を伸縮することによって、排出高さを変更可能な構成となっている。但し、この排出高さの調整機構は、必要ない場合には省略しても良い。
【００５７】
動力装置７４０は、特に図示していないが、この木材微粒子定量切出装置７００の駆動源であるエンジンと、このエンジンにより駆動される少なくとも１つの油圧ポンプと、この油圧ポンプから各駆動装置に供給される圧油を制御する複数のコントロールバルブとを内蔵している。また、特に図示していないが、この動力装置７４０の側方には、操作者が搭乗するための運転席が設けられており、そこには各種操作を行う操作レバーや操作盤等が設けられている。
【００５８】
本実施の形態においては、選別機械２００からの木材微粒子が木材微粒子定量切出装置７００の貯留タンク７２１に供給されると、下方のものから順次シュート７２３を介してフィーダ７２２内に導入される。そして、フィーダ７２２内に導入された木材微粒子は、スクリュの回転数に応じて、このスクリュによって出口７２５に向かって移送され、排出される。排出された木材微粒子は、搬出コンベア７３０上に載置され、循環駆動するコンベアベルト７３４に載って搬送され、混合機械４００のホッパ４２１にほぼ定量ずつ供給される。その他の動作については、前述した本発明の木材微粒子リサイクルシステムの一実施の形態と同様である。
【００５９】
本実施の形態によっても、前述した本発明の木材微粒子リサイクルシステムの一実施の形態と同様の効果が得られることは言うまでもない。加えて、本実施の形態によれば、木材微粒子を定量供給する木材微粒子定量切出装置７００を設けたことにより、高精度に木材微粒子の供給量を制御することができるので、土砂に対する木材微粒子の混合比の精度を向上させることができ、より高品質なリサイクル土を生産することができる。
【００６０】
本発明の木材微粒子リサイクルシステムのさらに他の実施の形態を図８を用いて説明する。
図８は、本発明の木材微粒子リサイクルシステムのさらに他の実施の形態の全体配置を表す平面図であり、先の各図と同様の部分には同符号を付し説明を省略する。
図８に示すように、本実施の形態のシステムは、木材破砕機１００と、この木材破砕機１００より受け入れた木材チップから所定粒度以下の木材微粒子を選別する選別機械２００と、この選別機械２００からの木材微粒子を受け入れて定量供給する木材微粒子定量切出装置７００と、受け入れた土砂をほぼ定量ずつ搬送する土砂供給機械３００と、例えば化学肥料や他の堆肥等の肥料を供給するための肥料供給機械８００と、木材微粒子定量切出装置７００からの木材微粒子を、土砂供給機械３００からの土砂及び肥料供給機械８００からの肥料とともに混合処理し、リサイクル土として排出する混合機械４００と、上記木材破砕機１００に対し、集積場所ａの木材をすくい上げて供給する投入機械５００と、上記土砂供給機械３００に対し、集積場所ｂの土砂を掘削して供給する投入機械６００とを配置して構成されている。
【００６１】
つまり、本実施の形態は、先に図６に示したシステムに対し、混合機械４００に肥料を供給する肥料供給機械８００を追加して構成したものであり、その他の点については、前述した本発明の木材微粒子リサイクルシステムの他の実施の形態と同様である。
【００６２】
肥料供給機械８００について説明すると、この肥料供給機械８００としては、例えば油圧ショベル等の投入機械により投入された肥料、若しくは予め貯留しておいた肥料をコンベア等によって搬出できるものであれば、その構成に特別な限定はないが、本実施の形態においては、その一例として木材微粒子定量切出装置７００と同様の構成のものを別途用意し、これを肥料供給機械８００として運用した例を図示している。
【００６３】
すなわち、先の図７を用いて説明すると、本実施の形態においては、例えば、油圧ショベルやベルトコンベア等によって、化学肥料や他の堆肥等の肥料が肥料供給機械８００の貯留タンク８２１に供給されると、下方のものから順次シュート８２３を介してフィーダ８２２内に導入される。そして、フィーダ８２２内に導入された肥料は、スクリュの回転数に応じて、このスクリュによって出口８２５に向かって移送され排出される。排出された肥料は、搬出コンベア８３０上に載置され、循環駆動するコンベアベルト８３４に載って搬送され、混合機械４００のホッパ４２１にほぼ定量ずつ供給される。その他の動作については、前述した本発明の木材微粒子リサイクルシステムの他の実施の形態と同様である。
【００６４】
本実施の形態によっても、前述した本発明の木材微粒子リサイクルシステムの他の実施の形態と同様の効果が得られることは言うまでもない。加えて、本実施の形態によれば、肥料を供給する肥料供給機械８００を設けたことにより、例えば、科学肥料や他の堆肥等をさらに混合することができるので、先の各実施の形態に比しても品質の高いリサイクル土を生産することができる。
【００６５】
なお、以上において、特に木材を破砕する時に発生する木材微粒子を土砂等と混合して堆肥、植栽土等のリサイクル土を生成する例を説明したが、本発明の構成であれば、木材微粒子に限らず、例えば、クラッシャ等で岩石等を破砕するときに生じる破砕物の微粒分等を、土砂と固化材等と混合して盛り土材を生成する場合にも利用可能である。この場合、木材破砕機１００を、クラッシャ等に変更する、或いは予め破砕物の微粒分を用意しておいて混合機械４００に投入する等すれば足りる。
【００６６】
また、各実施の形態のシステムを構成する各機械を、走行体を設けて走行可能な構成とした例を説明したが、稼動現場での機動性やレイアウトの自由度が要求されない場合には、各機械を固定式の設備に代えても構わない。また、木材破砕機１００は、必ずしも前述したような構成に限られず、木材を破砕して木材チップを製造可能なものであれば、その構成に特別な限定はない。したがって、いわゆる木材チッパーや異なる構成の木材破砕装置を備えた木材破砕機でも代替可能である。これらの場合も同様の効果を得ることができる。
【００６７】
また、選別機械２００も、必ずしも前述した構成に限られず、選別対象物を粒度に応じて選別する機能を有するものであれば、その構成に特別な限定はない。例えば、選別装置として、いわゆる振動篩やロータリスクリーン、或いはグリズリフィーダや固定篩等も適用可能である。また、木材微粒子の粒度が予め所定粒径以下に揃えられている場合には、選別機械２００から選別装置２２１を省略して単なる木材微粒子の供給機械としても良い。これらの場合も同様の効果を得ることができる。
【００６８】
さらに、土砂供給機械３００も、必ずしも前述した構成に限られず、単に土砂を受け入れて後段の機械の供給できるものであれば、その構成に特別な限定はない。例えば、投入する土砂の状態が比較的良好な場合等は、必ずしも異物や大塊を除去する篩装置３２１は必要ないし、ロータリスクリーンやロールスクリーン、或いはグリズリフィーダや単なる固定篩等、他の構成の篩に代えても構わない。また、必要ない場合にはあおりも省略可能である。これらの場合も同様の効果を得ることができる。
【００６９】
また、混合機械４００についても、必ずしも前述した構成に限定されず、供給物を十分に攪拌混合することができるものであれば、その構成に特別な限定はない。例えば、この混合装置として、パドルミキサを用いたいわゆるミキシング方式のものでなくとも、高速回転する回転打撃子を有する解砕方式のものや、いわゆるスクリュミキサ、ロータリミキサ等、他の構成のものを用いても良い。さららに、ホッパ４２１内に架橋防止目的でアーチブレイカを設けたが、必要ない場合には省略しても構わない。これらの場合も同様の効果を得ることができる。
【００７０】
また、木材微粒子定量切出装置７００及び肥料供給機械８００についても、前述の構成に限られることはなく、貯留タンク７２１（又は８２１）を単なるホッパに代えても良い。また、スクリュフィーダ７２２（又は８２２）に代えて、例えば、回転軸の周囲に複数の隔壁を設けたロータを有し、このロータを回転駆動させることによって、ロータの回転数に応じて隔壁間に導入した木材微粒子を順次排出するロータリフィーダ等も適用可能である。これらの場合も同様の効果を得ることができる。
【図面の簡単な説明】
【００７１】
【図１】本発明の木材微粒子リサイクルシステムの一実施の形態の全体配置を表す平面図である。
【図２】本発明の木材微粒子リサイクルシステムの一実施の形態を構成する木材破砕機の全体構成を表す側面図である。
【図３】本発明の木材微粒子リサイクルシステムの一実施の形態を構成する選別機械の全体構成を表す側面図である。
【図４】本発明の木材微粒子リサイクルシステムの一実施の形態を構成する土砂供給機械の全体構成を表す側面図である。
【図５】本発明の木材微粒子リサイクルシステムの一実施の形態を構成する混合機械の全体構成を表す側面図である。
【図６】本発明の木材微粒子リサイクルシステムの他の実施の形態の全体配置を表す平面図である。
【図７】本発明の木材微粒子リサイクルシステムの他の実施の形態を構成する木材微粒子供給機械の全体構成を表す側面図である。
【図８】本発明の木材微粒子リサイクルシステムのさらに他の実施の形態の全体配置を表す平面図である。
【符号の説明】
【００７２】
１１０    走行体（走行手段）
１３０    破砕部
１４０    搬出コンベア（コンベア）
２００    選別機械（木材微粒子供給機械）
２１０    走行体（走行手段）
２２１    選別装置
２３０    搬出コンベア（コンベア）
３００    土砂供給機械
３１０    走行体（走行手段）
３２２    ホッパ
３３０    搬出コンベア（コンベア）
４００    混合機械
４１０    走行体（走行手段）
４３０    混合装置
７００    木材微粒子定量切出装置（木材微粒子供給機械）
７１０    走行体（走行手段）
７２１    貯留タンク
７２４    フィーダ
７３０    搬出コンベア（コンベア）
【図１】
2005139638.tif 000003
【図２】
2005139638.tif 000004
【図３】
2005139638.tif 000005
【図４】
2005139638.tif 000006
【図５】
2005139638.tif 000007
【図６】
2005139638.tif 000008
【図７】
2005139638.tif 000009
【図８】
2005139638.tif 000010